(57)【要約】【課題】本発明は読み取った原稿の画像データを大容量メモリに蓄積した後に印刷する際に、印刷出力するのに必要な印刷色の記録材の一色が無くても適切に印刷処理するデジタル複写装置を提供する。【解決手段】ＭＦＰ１は、読取ユニット２で原稿の画像を複数色で読み取った画像信号を、ＳＢＵ３及びＩＰＰ５でデジタル変換して所定の画像処理を施し、ＣＤＩＣ４で、印刷色に色分解したデジタル画像信号をメモリモジュール１３を介してＨＤＤ１４に一旦蓄積した後に作像ユニット７で印刷出力する際に、当該デジタル画像信号に含まれる印刷色のうち１色のトナーが作像ユニット７に無い場合、トナーの無い色のデジタル画像信号を作像ユニット７に残存するトナーの色に代替え処理したデジタル画像信号をメモリモジュール１３に格納し、色の代替え処理したデジタル画像信号に基づいて作像ユニット７で印刷出力する。【選択図】          図１
2004240788.tif 000002
【特許請求の範囲】
【請求項１】
原稿の画像を複数色で読み取る原稿読取手段と、前記原稿読取手段の読み取った画像信号をデジタル変換して所定の画像処理を施すプログラマブルな演算処理手段と、当該デジタル画像信号とバスとのインタフェースを一括管理するとともにデジタル画像信号の前処理を行うインタフェース制御手段と、印刷色に色分解された前記デジタル画像信号を記憶する第１メモリと、当該第１メモリへのアクセスを一括管理するメモリ管理手段と、前記第１メモリの印刷色に色分解されたデジタル画像信号に基づいて画像を複数の印刷色の記録材で用紙に印刷出力する記録手段と、前記第１メモリよりも大容量であり前記記録手段での印刷色に色分解されたデジタル画像信号の蓄積される第２メモリと、を備えたデジタル複写装置であって、前記第２メモリに蓄積された前記色分解されたデジタル画像信号を前記記録手段で印刷出力する際に、当該デジタル画像信号に含まれる印刷色の記録材が前記記録手段に無い場合、当該記録材の無い色のデジタル画像信号を当該記録手段に残存する記録材の色に代替え処理したデジタル画像信号を前記第１メモリに格納して、当該代替え処理した前記デジタル画像信号に基づいて画像を前記記録手段に印刷出力させる制御手段を備えていることを特徴とするデジタル複写装置。
【請求項２】
前記制御手段は、前記メモリ管理手段に含まれていることを特徴とする請求項１記載のデジタル複写装置。
【請求項３】
前記制御手段は、前記インタフェース制御手段に含まれていることを特徴とする請求項１記載のデジタル複写装置。
【発明の詳細な説明】
【０００１】
【発明の属する技術分野】
本発明は、デジタル複写装置に関し、詳細には、画像読取手段で読み取った画像データを一旦ハードディスク等の大容量メモリに蓄積した後に印刷出力する際に、当該画像データを印刷出力するのに必要な印刷色の記録材が無くなっている際に適切に印刷処理するデジタル複写装置に関する。
【０００２】
【従来の技術】
【特許文献１】
特開平８−２７４９８６号公報
【特許文献２】
特開２０００−２１８９０２号公報
【特許文献３】
特開２００１−８３７５０号公報
【特許文献４】
特開２００１−２９３９１１号公報
従来、画像の読み取り、記録出力、送受信等のいわゆるコピー機能、ファックス機能、プリンタ機能、スキャナ機能等を備えた複合装置であるＭＦＰ（マルチファンクション装置）が出現しており、このようなＭＦＰにおいては、例えば、スキャナ部、シェーディング部、フィルタ部、変倍部、γ変換部、階調処理部、編集部、記憶部、外部インターフェース部、印字部、及びプロット部等の画像処理をその処理内容に応じて最適な処理順序で単一の画像パスで実現している。
【０００３】
したがって、この処理順序は固定されており、処理部の処理順序及び処理回数を任意に設定することができず、汎用性に欠けるという問題があった。
【０００４】
そこで、従来、デジタル画像信号に対して所定の処理を行なう複数の処理部によってその処理部に設定された個々の画像処理を行なう画像処理装置装置において、前記複数の処理部の処理順序および処理回数を任意に設定する制御手段を設けて画像処理を最適化して、各種の画像処理を１つの画像処理構成で実行できるようにした画像処理装置が提案されている（特許文献１参照）。
【０００５】
一方、ＭＦＰ等においては、読み取った原稿の画像データを記録紙に記録出力する複写処理を行うが、このような複写処理を行う場合、読み取った原稿がカラー（フルカラー、モノカラー、モノクロ、２〜３色のカラー等）であり、このようなカラー原稿の画像を記録出力する場合に、トナーやインク等の記録材の残量がない場合には、記録出力することができないという問題があった。
【０００６】
そこで、従来、画像読み取り手段と複数のプリント手段がネットワークで接続された画像形成装置であって、画像読み取り手段からの画像をひとつのプリント手段でプリント出力中に、用紙無し、用紙ジャム、トナー無し、サービスマンエラー等が発生しプリント出力が不可能になると、ネットワークに接続された他のプリント手段でプリント出力を続行する画像形成装置が提案されている（特許文献２参照）。
【０００７】
また、従来、複数の色成分に対応する記録材の残量に関する情報に基づいて、基準画像を用いたカラー画像形成およびモノクロ画像形成の形成条件の制御を実行する画像処理装置を制御する制御装置が提案されている（特許文献３参照）。
【０００８】
さらに、従来、カラープリンタの複数種類の着色剤のうち、いずれかが予め定めた量以下になったこと、又は予め定めた量以下になることを把握すると、代替着色剤の指定を求めて、描画データに基づいて印刷コマンドを作成する過程で、描画データが示すイメージ中の各色のうち、予め定めた量以下に無くなった又は予め定めた量以下になる着色剤を必要とする色を、指定された代替着色剤の色に変換してプリントするプリンタホストが提案されている（特許文献４参照）。
【０００９】
【発明が解決しようとする課題】
しかしながら、上記特許文献２記載の従来技術にあっては、ネットワークに接続された他のプリント手段でプリント出力を行わせているため、ネットワークに接続されていない場合には、適用することができず、改良の必要があった。
【００１０】
また、上記特許文献３及び特許文献４記載の従来技術にあっては、原稿画像を読み取ってそのまま印刷色への分解処理を行う際に、記録材の無いデータを記録材の有る色に代替え処理して記録出力している。
【００１１】
ところが、近時、デジタル複写装置においては、原稿を読み取って即座に印刷出力するだけでなく、ハードディスク等の大容量メモリに一旦蓄積した後、印刷出力することが行われており、このような大容量メモリに蓄積した画像データに基づいて印刷処理する際に所定色の記録材が無くなっている場合の処理については、考慮されておらず、デジタル複写装置の利用性を向上させる上で、改良の必要があった。
【００１２】
そこで、本発明は、原稿の画像を読み取った画像データを大容量のメモリに一旦格納した後に印刷出力する際に、所定色の記録材が無くなっている場合にも、適切に印刷処理するデジタル複写装置を提供することを目的としている。
【００１３】
具体的には、請求項１記載の発明は、原稿読取手段で原稿の画像を複数色で読み取った画像信号を、演算処理手段で、デジタル変換して所定の画像処理を施し、インタフェース制御手段で、当該デジタル画像信号とバスとのインタフェースを一括管理するとともにデジタル画像信号の前処理を行って、印刷色に色分解されたデジタル画像信号をメモリ管理手段で一括管理する第１メモリに記憶し、第１メモリの印刷色に色分解されたデジタル画像信号に基づいて記録手段で画像を複数の印刷色の記録材で用紙に印刷出力し、また、第１メモリよりも大容量であり記録手段での印刷色に色分解されたデジタル画像信号を第２メモリに蓄積して、当該第２メモリに蓄積された色分解されたデジタル画像信号を記録手段で印刷出力する際に、当該デジタル画像信号に含まれる印刷色の記録材が記録手段に無い場合、制御手段が、当該記録材の無い色のデジタル画像信号を当該記録手段に残存する記録材の色に代替え処理したデジタル画像信号を第１メモリに格納して、当該代替え処理したデジタル画像信号に基づいて画像を記録手段に印刷出力させることにより、ハードディスク等の大容量の第２メモリに一旦蓄積したデジタル画像信号に基づいて印刷出力する際に、記録手段に当該デジタル画像信号に含まれる印刷色の記録材が無い場合にも、特別なハードウェアを追加することなく、他の色に代替え処理して、適切に印刷出力し、安価で利用性の良好なデジタル複写装置を提供することを目的としている。
【００１４】
請求項２記載の発明は、制御手段を、メモリ管理手段に含ませることにより、特別なハードウェアを追加することなく、他の色に代替え処理を行って、適切に印刷出力し、より一層安価で利用性の良好なデジタル複写装置を提供することを目的としている。
【００１５】
請求項３記載の発明は、制御手段を、インタフェース制御手段に含ませることにより、特別なハードウェアを追加することなく、他の色に代替え処理を行って、適切に印刷出力し、より一層安価で利用性の良好なデジタル複写装置を提供することを目的としている。
【００１６】
【課題を解決するための手段】
請求項１記載の発明のデジタル複写装置は、原稿の画像を複数色で読み取る原稿読取手段と、前記原稿読取手段の読み取った画像信号をデジタル変換して所定の画像処理を施すプログラマブルな演算処理手段と、当該デジタル画像信号とバスとのインタフェースを一括管理するとともにデジタル画像信号の前処理を行うインタフェース制御手段と、印刷色に色分解された前記デジタル画像信号を記憶する第１メモリと、当該第１メモリへのアクセスを一括管理するメモリ管理手段と、前記第１メモリの印刷色に色分解されたデジタル画像信号に基づいて画像を複数の印刷色の記録材で用紙に印刷出力する記録手段と、前記第１メモリよりも大容量であり前記記録手段での印刷色に色分解されたデジタル画像信号の蓄積される第２メモリと、を備えたデジタル複写装置であって、前記第２メモリに蓄積された前記色分解されたデジタル画像信号を前記記録手段で印刷出力する際に、当該デジタル画像信号に含まれる印刷色の記録材が前記記録手段に無い場合、当該記録材の無い色のデジタル画像信号を当該記録手段に残存する記録材の色に代替え処理したデジタル画像信号を前記第１メモリに格納して、当該代替え処理した前記デジタル画像信号に基づいて画像を前記記録手段に印刷出力させる制御手段を備えていることにより、上記目的を達成している。
【００１７】
上記構成によれば、原稿読取手段で原稿の画像を複数色で読み取った画像信号を、演算処理手段で、デジタル変換して所定の画像処理を施し、インタフェース制御手段で、当該デジタル画像信号とバスとのインタフェースを一括管理するとともにデジタル画像信号の前処理を行って、印刷色に色分解されたデジタル画像信号をメモリ管理手段で一括管理する第１メモリに記憶し、第１メモリの印刷色に色分解されたデジタル画像信号に基づいて記録手段で画像を複数の印刷色の記録材で用紙に印刷出力し、また、第１メモリよりも大容量であり記録手段での印刷色に色分解されたデジタル画像信号を第２メモリに蓄積して、当該第２メモリに蓄積された色分解されたデジタル画像信号を記録手段で印刷出力する際に、当該デジタル画像信号に含まれる印刷色の記録材が記録手段に無い場合、制御手段が、当該記録材の無い色のデジタル画像信号を当該記録手段に残存する記録材の色に代替え処理したデジタル画像信号を第１メモリに格納して、当該代替え処理したデジタル画像信号に基づいて画像を記録手段に印刷出力させるので、ハードディスク等の大容量の第２メモリに一旦蓄積したデジタル画像信号に基づいて印刷出力する際に、記録手段に当該デジタル画像信号に含まれる印刷色の記録材が無い場合にも、特別なハードウェアを追加することなく、他の色に代替え処理して、適切に印刷出力することができ、安価に利用性を向上させることができる。
【００１８】
この場合、例えば、請求項２に記載するように、前記制御手段は、前記メモリ管理手段に含まれているものであってもよい。
【００１９】
上記構成によれば、制御手段を、メモリ管理手段に含ませているので、特別なハードウェアを追加することなく、他の色に代替え処理を行って、適切に印刷出力することができ、より一層安価に利用性を向上させることができる。
【００２０】
また、例えば、請求項３に記載するように、前記制御手段は、前記インタフェース制御手段に含まれているものであってもよい。
【００２１】
上記構成によれば、制御手段を、インタフェース制御手段に含ませているので、特別なハードウェアを追加することなく、他の色に代替え処理を行って、適切に印刷出力することができ、より一層安価に利用性を向上させることができる。
【００２２】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２３】
図１〜図７は、本発明のデジタル複写装置の一実施の形態を示す図であり、図１は、本発明のデジタル複写装置の一実施の形態を適用したＭＦＰ（マルチファンクション装置）１の回路ブロック構成図である。
【００２４】
図１において、ＭＦＰ１は、読取ユニット２、ＳＢＵ（センサボードユニット）３、ＣＤＩＣ（圧縮／伸長及びデータインターフェース制御部）４、ＩＰＰ（画像処理プロセッサ）５、ＶＤＣ（ビデオ・データ制御部）６、作像ユニット７、プロセスコントローラ８、ＲＡＭ（Ｒａｎｄｏｍ  Ａｃｃｅｓｓ  Ｍｅｍｏｒｙ）９、ＲＯＭ（ＲｅａｄＯｎｌｙ  Ｍｅｍｏｒｙ）１０、ＦＣＵ（ファックス制御ユニット）１１、ＩＭＡＣ（画像メモリアクセス制御部）１２、メモリモジュール（ＭＥＭ１、ＭＥＭ２）１３、ＨＤＤ（ハードディスク）１４、システムコントローラ１５、ＲＡＭ１６、ＲＯＭ１７及びオペレーションパネル１８等を備えており、読取ユニット２、ＳＢＵ３、ＣＤＩＣ４、ＩＰＰ５、ＶＤＣ６、作像ユニット７、プロセスコントローラ８、ＲＡＭ９及びＲＯＭ１０がシリアルバス２０に接続され、ＦＣＵ１１、ＩＭＡＣ１２、ＣＤＩＣ４及びＶＤＣ６は、パラレルバス２１に接続されている。
【００２５】
ＭＦＰ１は、スキャナモード、コピーモード、ファックスモード、プリンタモード等の各種モード機能を備えており、Ａ２サイズ紙まで２色（赤／黒）で複写を行う機能を有している。
【００２６】
そして、ＭＦＰ１は、スキャナモードあるいはコピーモードでは、読取ユニット２が、光源から読取光を原稿に照射して、原稿からの反射光をミラー及びレンズを介してＳＢＵ３に設けられたＣＣＤ（Ｃｈａｒｇｅ  Ｃｏｕｐｌｅｄ  Ｄｅｖｉｃｅ  ）等の受光素子に集光させる、当該受光素子で光電変換することで、原稿を走査して、原稿の画像を読み取る。この読取ユニット２は、ＳＢＵ３に搭載され、Ｒ（赤）、Ｇ（緑）、Ｂ（青）のフィルタを通してそれぞれの色に対応する電気信号に変換する３ラインＣＣＤイメージセンサを用いて、原稿の画像を読み取る。ＳＢＵ３は、ＣＣＤからの画像信号をデジタル変換してデジタル画像信号として、同期信号とともにＣＤＩＣ４に出力する。
【００２７】
ＳＢＵ３は、Ａ／Ｄ変換されたＲ（赤）、Ｇ（緑）、Ｂ（青）のデジタル画像データを、光学系に伴うデータの不均一性（スキャナー系の信号劣化）を補正する。すなわち、光学系に伴う信号劣化に対しては、図２及び図３に示すように、ＳＢＵ３で、シェーディング補正が行われる。図２は、シェーディング補正の概略を示しており、図３は、シェーディングデータの概略を示している。シェーデイング補正は、照明系の照度分布に基づく反射光特性の不均一性を補正するものであり、原稿の読み取りに先立って濃度が均一な基準白板を読み取って、シェーディング補正のための基準データを生成して、このシェーディングデータに基づいて、読取画像の読取位置に依存する反射分布の正規化を行う。
【００２８】
シェーディングデータは、図３に示すように、原稿読取位置ｎに依存して反射分布が異なり、原稿読取位置の端部では、均一濃度の白基準板が暗く読まれる。図３において、Ｓｎは、読取位置ｎでの白基準板の読取信号レベルを示しており、Ｓｎが大きいほど明るく読まれたことを示している。
【００２９】
シェーディング補正は、読取位置ｎに依存しており、同一内容の処理を各読取位置ｎの読取画像データに対して実施することで、ランプの光量分布ムラを補正する。図２において、Ｓデータは、図３に示す白基準板の読み取りによって生成されたシェーディングデータであり、Ｄデータは、各読取ラインの読取画像データであり、ｎは、読取位置を示している。そして、図２において、Ｃデータは、Ｄデータのシェーディング補正後のデータであり、Ｃｎ＝Ａ×（Ｄｎ／Ｓｎ）で正規化される。なお、Ａは、正規化係数である。
【００３０】
再び、図１において、ＣＤＩＣ（インタフェース制御手段）４は、機能デバイス及びデータバス間における画像データの伝送を全て制御し、ＳＢＵ３、パラレルバス２１、ＩＰＰ５間のデータ転送を行う。また、ＣＤＩＣ４は、ＭＦＰ１の全体を制御するシステムコントローラ１５と画像データに対する処理制御を行うプロセスコントローラ８間の通信を行う。
【００３１】
そして、ＣＤＩＣ４は、ＳＢＵ３からの画像信号をＩＰＰ５に転送し、ＩＰＰ５は、光学系及びデジタル信号への量子化に伴う信号劣化（スキャナー系の信号劣化）を補正して、再度、ＣＤＩＣ４に出力する。
【００３２】
すなわち、ＭＦＰ１は、上記不均一性の補正されたＲ（赤）、Ｇ（緑）、Ｂ（青）のデジタル画像データを、ＳＢＵ３、または、ＣＤＩＣ４、または、デジタル画像データのメモリへのアクセスを一括管理するメモリモジュール１３において、各色の画像データの同期ズレを補正する。このメモリモジュール（メモリ管理手段）１３は、そのメモリ領域として、黒画像用の格納指定領域である黒画像データｉｎ領域と赤画像用の格納指定領域である赤画像データｉｎ領域及び黒画像用の出力領域である黒画像データｏｕｔ領域と赤画像用の出力領域である赤画像データｏｕｔ領域を備えており、このメモリ領域へのアクセスを一括管理する。
【００３３】
そして、ＭＦＰ１は、３ラインＣＣＤで走査しているため、色間に１２ラインの同期ズレが発生する。そこで、ＭＦＰ１は、Ｒ（赤）、Ｇ（緑）、Ｂ（青）のデジタル画像データに対して、ＳＢＵ３またはＣＤＩＣ４において、注目画素に対する多値の輝度信号と、その注目画素が赤色であるか否かの色判定信号と、を生成する。なお、上記色判定処理については、本出願人が先に提案している特開平９−２００５５４号公報の段落００１１〜段落００１４に詳述しているため、その説明を省略する。そして、上記ＳＢＵ３及びＩＰＰ５は、演算処理手段として機能している。
【００３４】
ＭＦＰ１は、ＩＰＰ５で、赤と黒のデジタル画像信号に分離し所定の画像信号を施した後、ＣＤＩＣ４を経由して、メモリモジュール１３に格納する。
【００３５】
そして、メモリモジュール１３やＨＤＤ１４に蓄積した画像データを読み出して、付加的な処理、例えば、画像方向の回転、画像の合成等を行う場合には、ＭＦＰ１は、上記ＩＰＰ５からＣＤＩＣ４に転送されたデータを、ＣＤＩＣ４からパラレルバス２１を経由してＩＭＡＣ１２に送り、ＩＭＡＣ１２は、システムコントローラ１５の制御下で、画像データとメモリモジュール１３のアクセス制御、外部接続されたＰＣ（パーソナルコンピュータ）３０のプリント用データの展開、メモリ有効活用のための画像データの圧縮／伸張等を行う。すなわち、ＩＭＡＣ１２には、ＰＣ３０が接続されており、ＩＭＡＣ１２は、システムコントローラ１５の制御下で、ＰＣ３０からのデジタルのプリントデータを受け取って、メモリモジュール１３に展開する。ＩＭＡＣ１２は、送られてきたデータをデータ圧縮した後、メモリモジュール１３及びメモリモジュール１３を介してＨＤＤ１４へ蓄積し、また、蓄積データを必要に応じてメモリモジュール１３またはＨＤＤ１４から読み出て、読み出したデータを伸張した後、パラレルバス２１を経由してＣＤＩＣ４に渡す。ＭＦＰ１は、ＣＤＩＣ４に渡されたデータをＣＤＩＣ４からＩＰＰ５に転送し、上述のように、プログラマブルな演算処理手段であるＩＰＰ５でデジタル変換された画像信号に対して画像処理を行う。ＩＰＰ５は、画質処理後の画像データをＶＤＣ６に転送し、ＶＤＣ６で、ドット配置に関する後処理及びドットを再現するためのパルス制御を行って、作像ユニット７で転写紙上に再生画像を形成する。
【００３６】
すなわち、ＭＦＰ１は、パラレルバス２１及びＣＤＩＣ４でのバス制御により、データをメモリモジュール１３への蓄積や各種転送処理を行って、ＭＦＰ１としての機能を実現している。
【００３７】
作像ユニット（記録手段）７は、例えば、図４に示すように、電子写真方式のものが用いられており、時計方向に回転駆動される感光体４１の周囲に、帯電チャージャ４２、黒書込部４３、黒現像部４４、赤書込部４５、赤現像部４６、転写チャージャ４７、クリーニング部４８等が配設されている。また、作像ユニット７は、給紙トレイ４９、給紙コロ５０、レジストローラ５１、搬送ベルト５２、定着部５３、排紙ローラ５４、プロッタ制御部５５及び図示しない排紙トレイ等を備えており、プロッタ制御部５５は、作像ユニット７の各駆動部の動作を制御する。
【００３８】
作像ユニット７は、時計方向に回転駆動される感光体４１を帯電チャージャ４２により一様に帯電させて、当該一様に帯電した感光体４１に黒書込部４３により黒色用画像データに基づいて変調したレーザ光を照射して、まず、黒色用静電潜像を形成し、当該黒色用静電潜像の形成された感光体４１に黒現像部４４で黒トナーを供給して黒色トナー画像を形成する。作像ユニット７は、さらに回転される感光体４１に赤書込部４５により赤色用画像データに基づいて変調したレーザ光を照射して赤色用静電潜像を形成し、当該赤色用静電潜像の形成された感光体４１に赤現像部４６で赤トナーを供給して赤色トナー画像を形成して、転写チャージャ４７へとトナー画像の形成された感光体４１を回転させる。
【００３９】
一方、作像ユニット７は、給紙トレイ４９内に収納されている複数枚の転写紙を、給紙コロ５０で１枚ずつ分離してレジストローラに送り出し、レジストローラ５１で感光体４１上のトナー画像の先端と合うようにタイミング調整した後、感光体４１と転写チャージャ４７の間に転写紙を搬送して、当該転写紙に転写チャージャ４７により感光体４１上のトナー画像を転写させる。
【００４０】
作像ユニット７は、トナー画像の転写の完了した転写紙を搬送ベルト５２で定着部５３に搬送し、定着部５３で転写紙を搬送しつつ加熱・加圧して、トナー画像を転写紙に定着させて、トナー画像の定着の完了した転写紙を排紙ローラにより図示しない排紙トレイ上に排出する。
【００４１】
作像ユニット７は、トナー画像の転写の完了した感光体４１をさらに回転させて、クリーニング部４８で感光体４１をクリーニングして、次の画像形成に供する。
【００４２】
また、ＭＦＰ１は、ＦＣＵ１１に公衆回線（ＰＮ）３１が接続されており、ＦＣＵ１１を利用して、ファックス送信機能及びファックス受信機能を実現する。すなわち、ＭＦＰ１は、ファックス送信時、読取ユニット２で読み取った画像データを、上述のようにＩＰＰ５に転送して、ＩＰＰ５で必要な画像処理を施した後、ＣＤＩＣ４及びパラレルバス２１を経由してＦＣＵ１１へ転送する。ＦＣＵ１１は、通信網へのデータ変換を行い、ＰＮ３１へファックスデータとして送信する。
【００４３】
そして、ＭＦＰ１は、ファックス受信時、ＰＮ３１からのファックスデータをＦＣＵ１１で受信して画像データに変換し、パラレルバス２１及びＣＤＩＣ４を経由してＩＰＰ５へ転送する。この場合、ＩＰＰ５は、転送されてきた画像データに対して特別な画質処理は行わず、ＶＤＣ６に転送し、ＶＤＣ６でドット再配置及びパルス制御を行い、作像ユニット７で転写紙上に再生画像を形成する。
【００４４】
さらに、ＩＭＡＣ１２には、ＨＤＤ１４、システムコントローラ１５、ＲＡＭ１６、ＲＯＭ１７及びオペレーションパネル１８等が接続されており、システムコントローラ１５は、ＭＦＰ１の全体の制御を行う。オペレーションパネル１８には、ＭＦＰ１に対して各種指示操作を行う各種キー及び表示部等が設けられており、オペレーションパネル１８での指示操作に応じてシステムコントローラ１５がＭＦＰ１の各部を制御して、ＭＦＰ１としての基本処理及びメモリ制御処理を行う。
【００４５】
また、ＭＦＰ１は、複数ジョブ、例えば、コピー機能、ファックス送受信機能、プリンタ出力機能等を並行に処理する機能を備えており、この複数のジョブを平行して動作させる場合、読取ユニット２、作像ユニット７及びパラレルバス２１を使用権のジョブへ割り振りを行うが、この割り振りをシステムコントローラ１５及びプロセスコントローラ８で制御する。
【００４６】
ＨＤＤ１４は、後述するように、ＩＭＡＣ１２によりメモリモジュール１３に蓄積された作像ユニット７での印刷色に色分解されたデジタル画像データを蓄積し、また、蓄積する当該色分解されたデジタル画像データが読み出されてメモリモジュール１３に転送される。
【００４７】
上記プロセスコントローラ８は、画像データの流れを制御し、システムコントローラ１５は、ＭＦＰ１のシステム全体を制御して、各リソースの起動を管理する。このＭＦＰ１の機能選択は、オペレーションパネル１８のキー操作で行われ、コピー機能、ファックス送受信機能等の処理内容がオペレーションパネル１８のキー操作で設定される。
【００４８】
システムコントローラ１５とプロセスコントローラ８は、パラレルバス２１、ＣＤＩＣ４及びシリアルバス２０を介して相互に通信を行い、ＣＤＩＣ４内において、パラレルバス２１とシリアルバス２０とのデータインターフェースのためのデータフォーマット変換を行う。
【００４９】
次に、本実施の形態の作用を説明する。まず、本実施の形態のＭＦＰ１による複写処理について、図５に基づいて説明する。
【００５０】
ＭＦＰ１は、読取ユニット２で読み取った原稿の画像データを、ＳＢＵ３でＲ（赤）、Ｇ（緑）、Ｂ（青）についてシェーディング補正とＲ（赤）、Ｇ（緑）、Ｂ（青）のラインの同期ずれの補正及び指定色（赤）と黒からなる２色に分離処理を施し、ＣＤＩＣ４内で主走査及び副走査の変倍処理を施して、メモリモジュール（ＭＥＭ）１３のメモリの有効活用のための圧縮を行った後、メモリモジュール１３に転送する。メモリモジュール１３は、黒画像用の格納指定領域である黒画像データｉｎ領域と赤画像用の格納指定領域である赤画像データｉｎ領域及び黒画像用の出力領域である黒画像データｏｕｔ領域と赤画像用の出力領域である赤画像データｏｕｔ領域を備えており、ＭＦＰ１は、メモリモジュール１３内では、色分離された黒画像データと赤画像データをそれぞれ黒画像データｉｎ領域と赤画像データｉｎ領域に格納するとともに、ＨＤＤ１４へも蓄積画像データとして蓄積する。
【００５１】
ＭＦＰ１は、画像方向の回転や余白の付加等の編集処理を行う場合は、画像データをブロック毎に分割する分割処理を行い、分割処理の終了したブロック毎の画像データを順次ＣＤＩＣ４への出力領域として確保されている黒画像データｏｕｔ領域及び赤画像データｏｕｔ領域へ格納する。
【００５２】
ＭＦＰ１は、ＣＤＩＣ４に転送した画像データをＣＤＩＣ４で伸張処理を施させてＩＰＰ５に転送し、ＩＰＰ５で、所定の画像処理を施させた後、ＣＤＩＣ４を経由して、赤色用の画像データ（赤画像データ）が、黒色用の画像データ（黒画像データ）よりも少し遅れたタイミングで、ＶＤＣ６に出力されるように、ＣＤＩＣ４で、タイミング調整（指定色ライン遅延調整）を行って、ＶＤＣ６に転送する。
【００５３】
ＭＦＰ１は、以降、上述のように、ＶＤＣ６から作像ユニット７に画像データを転送して、作像ユニット７で転写紙に画像形成する。
【００５４】
そして、ＭＦＰ１は、いま、印刷出力する画像の色が黒色と赤色の２色であるが、ＨＤＤ１４に蓄積した画像データを作像ユニット７で印刷出力する際に、作像ユニット７に、例えば、赤トナーが無いときには、図６に示すように、色の代替え処理を行って、印刷を行う。
【００５５】
すなわち、ＭＦＰ１は、ＨＤＤ１４に蓄積した画像データを使用して作像ユニット７で印刷出力する場合、図６に示すように、ＨＤＤ１４から画像データを読み出して、まず、メモリモジュール１３の格納指定領域に格納する。このとき、ＨＤＤ１４には、画像データが作像ユニット７での印刷色に色分解された状態、すなわち、黒画像データと赤画像データに色分解された状態で格納されており、ＭＦＰ１は、ＣＤＩＣ４が、この色分解された画像データのうち、黒画像データを黒画像データｉｎ領域に格納し、赤画像データを赤画像データｉｎ領域に格納する。
【００５６】
ＣＤＩＣ４は、次に、黒画像データｉｎ領域の黒画像データと赤画像データｉｎ領域の赤画像データを、メモリモジュール１３の出力領域に格納するが、このとき、まず、黒画像データｉｎ領域から所定ブロックを、図５に示す黒画像データｏｕｔ領域、すなわち、図６の黒画像と赤画像のＯＲ合成データｏｕｔ領域に格納し、次に、赤画像データｉｎ領域から所定ブロックを黒画像データｏｕｔ領域内の先に黒画像データを格納した領域と同じ領域に論理和をとりつつ格納する。ＣＤＩＣ４は、このデータの転送動作処理を黒画像データｉｎ領域と赤画像データｉｎ領域の画像データのブロック分繰り返して行う。
【００５７】
また、このとき、ＣＤＩＣ４は、赤画像データｏｕｔ領域を、クリアデータ（白データ）で埋める。
【００５８】
その後、ＭＦＰ１は、メモリモジュール１３の黒画像と赤画像のＯＲ合成データ領域の黒画像データと赤画像データのＯＲ合成データと、赤画像データｏｕｔ領域の白データをＣＤＩＣ４に転送し、ＣＤＩＣ４で伸張処理を施させて、ＩＰＰ５に転送する。ＭＦＰ１は、ＩＰＰ５で所定の画像処理を施させて、ＣＤＩＣ４を経由して、赤色用の画像データが、黒色用の画像データよりも少し遅らせたタイミングで、ＶＤＣ６に出力されるように、ＣＤＩＣ４で、タイミング調整（指定色ライン遅延調整）を行って、ＶＤＣ６に転送する。
【００５９】
ＭＦＰ１は、以降、上述のように、ＶＤＣ６から作像ユニット７に画像データを転送して、作像ユニット７で転写紙に画像形成する。
【００６０】
このように、本実施の形態のＭＦＰ１は、読取ユニット２で原稿の画像を複数色で読み取った画像信号を、ＳＢＵ３で、デジタル変換して、ＩＰＰ５で所定の画像処理を施し、ＣＤＩＣ４で、当該デジタル画像信号とバスとのインタフェースを一括管理するとともにデジタル画像信号の前処理を行って、印刷色に色分解されたデジタル画像信号をメモリモジュール１３が一括管理するメモリモジュール１３のメモリ領域に記憶し、当該メモリ領域の印刷色に色分解されたデジタル画像信号に基づいて作像ユニット７で画像を複数の印刷色のトナーで転写紙に印刷出力し、また、作像ユニット７での印刷色に色分解されたデジタル画像信号をＨＤＤ１４に蓄積して、ＨＤＤ１４に蓄積された色分解されたデジタル画像信号を作像ユニット７で印刷出力する際に、当該デジタル画像信号に含まれる印刷色のトナーが作像ユニット７に無い場合、メモリモジュール１３が、当該トナーの無い色のデジタル画像信号を作像ユニット７に残存するトナーの色に代替え処理したデジタル画像信号をメモリモジュール１３のメモリ領域に格納して、当該代替え処理したデジタル画像信号に基づいて画像を作像ユニット７に印刷出力させている。
【００６１】
したがって、ＨＤＤ１４に一旦蓄積したデジタル画像信号に基づいて印刷出力する際に、作像ユニット７に当該デジタル画像信号に含まれる印刷色のトナーが無い場合にも、特別なハードウェアを追加することなく、他の色に代替え処理して、適切に印刷出力することができ、安価に利用性を向上させることができる。
【００６２】
また、本実施の形態のＭＦＰ１は、メモリモジュール１３が色の代替え処理を行った画像データを生成している。
【００６３】
したがって、特別なハードウェアを追加することなく、他の色に代替え処理を行って、適切に印刷出力することができ、より一層安価に利用性を向上させることができる。
【００６４】
なお、上記処理は、ＨＤＤ１４への蓄積画像がモノクロまたは赤モノカラーの場合で、それぞれ黒トナーが無い場合、赤トナーが無い場合にも、同様に色の代替え処理を行って、印刷処理を行うことができる。
【００６５】
例えば、ＨＤＤ１４にモノクロ画像データが蓄積されており、このモノクロ画像データの出力時に黒トナーが作像ユニット７に無い場合には、ＭＦＰ１は、第１の方法として、ＨＤＤ１４から黒画像データをメモリモジュール１３の黒画像データｉｎ領域に格納し、赤画像データｉｎ領域を白データで埋め、黒画像データｉｎ領域の黒画像データを、赤画像データｏｕｔ領域に転送する。ＭＦＰ１は、その後、赤画像データｉｎ領域内の画像データを先に転送された赤画像データｏｕｔ領域の画像データと論理和をとりながら上書きをする。
【００６６】
また、ＭＦＰ１は、第２の方法として、ＨＤＤ１４に蓄積されている画像データが、モノクロ画像データであるため、ＨＤＤ１４の蓄積画像データをメモリモジュール１３の黒画像データｉｎ領域に転送し、その画像データを赤画像データｏｕｔ領域に転送することでも、同様に色の代替処理を行って、印刷を行うことができる。
【００６７】
なお、上記処理は、ＨＤＤ１４に赤モノカラー画像データが蓄積されていて、この赤モノカラー画像データの出力時に、赤トナーが無い場合にも、同様に適用することができる。
【００６８】
また、上記説明では、代替処理をデジタル画像データのメモリへのアクセスを一括管理するメモリモジュール１３内で行っているが、ＣＤＩＣ４で行ってもよい。
【００６９】
この場合、ＭＦＰ１は、図７に示すように、ＨＤＤ１４に蓄積された画像データをメモリモジュール１３に転送して、黒画像データを黒画像データｉｎ領域に、赤画像データを赤画像データｉｎ領域に格納し、さらに、黒画像データｉｎ領域の黒画像データを黒画像データｏｕｔ領域に格納し、赤画像データｉｎ領域の赤画像データを赤画像データｏｕｔ領域に格納する。そして、ＭＦＰ１は、黒画像データｏｕｔ領域の黒画像データと赤画像データｏｕｔ領域の赤画像データをＣＤＩＣ４に転送する。
【００７０】
ＣＤＩＣ４は、メモリモジュール１３から転送されてくる黒画像データと赤画像データを伸張して、伸張した黒画像データと赤画像データとの論理和をとること黒画像と赤画像のＯＲ合成データを生成して、黒または赤の単色に色の代替え処理を行う。
【００７１】
例えば、作像ユニット７に黒トナーが無い場合には、ＣＤＩＣ４は、そのＯＲ合成画像データを赤画像の画像パスに転送し、黒画像のパスには白データを転送することで、色の代替え処理を行う。
【００７２】
また、作像ユニット７に赤トナーが無い場合には、ＣＤＩＣ４は、そのＯＲ合成画像データを黒画像の画像パスに転送し、赤画像のパスには白データを転送することで、色の代替え処理を行う。
【００７３】
さらに、色の代替え処理が不要の場合には、ＣＤＩＣ４は、上記ＯＲ合成処理を行うことなく、画像データを処理することで、通常の印刷出力を行うことができる。
【００７４】
このようにすると、特別なハードウェアを追加することなく、他の色に代替え処理を行って、適切に印刷出力することができ、より一層安価に利用性を向上させることができる。
【００７５】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００７６】
【発明の効果】
請求項１記載の発明のデジタル複写装置によれば、原稿読取手段で原稿の画像を複数色で読み取った画像信号を、演算処理手段で、デジタル変換して所定の画像処理を施し、インタフェース制御手段で、当該デジタル画像信号とバスとのインタフェースを一括管理するとともにデジタル画像信号の前処理を行って、印刷色に色分解されたデジタル画像信号をメモリ管理手段で一括管理する第１メモリに記憶し、第１メモリの印刷色に色分解されたデジタル画像信号に基づいて記録手段で画像を複数の印刷色の記録材で用紙に印刷出力し、また、第１メモリよりも大容量であり記録手段での印刷色に色分解されたデジタル画像信号を第２メモリに蓄積して、当該第２メモリに蓄積された色分解されたデジタル画像信号を記録手段で印刷出力する際に、当該デジタル画像信号に含まれる印刷色の記録材が記録手段に無い場合、制御手段が、当該記録材の無い色のデジタル画像信号を当該記録手段に残存する記録材の色に代替え処理したデジタル画像信号を第１メモリに格納して、当該代替え処理したデジタル画像信号に基づいて画像を記録手段に印刷出力させるので、ハードディスク等の大容量の第２メモリに一旦蓄積したデジタル画像信号に基づいて印刷出力する際に、記録手段に当該デジタル画像信号に含まれる印刷色の記録材が無い場合にも、特別なハードウェアを追加することなく、他の色に代替え処理して、適切に印刷出力することができ、安価に利用性を向上させることができる。
【００７７】
請求項２記載の発明のデジタル複写装置によれば、制御手段を、メモリ管理手段に含ませているので、特別なハードウェアを追加することなく、他の色に代替え処理を行って、適切に印刷出力することができ、より一層安価に利用性を向上させることができる。
【００７８】
請求項３記載の発明のデジタル複写装置によれば、制御手段を、インタフェース制御手段に含ませているので、特別なハードウェアを追加することなく、他の色に代替え処理を行って、適切に印刷出力することができ、より一層安価に利用性を向上させることができる。
【図面の簡単な説明】
【図１】本発明のデジタル複写装置の一実施の形態を適用したＭＦＰの全体ブロック構成図。
【図２】図１の作像ユニットの概略構成図。
【図３】図１のＳＵＢによるシェーディング補正の概略説明図。
【図４】図３のシェーディング補正に用いるシェーディングデータの一例を示す図。
【図５】図１のＭＦＰによる複写処理時の画像の流れを示す図。
【図６】図１のＭＦＰによるＨＤＤへの蓄積画像データに基づく印刷処理時に赤トナーが作像ユニットに無い場合の色の代替処理をメモリモジュールで行う印刷処理の説明図。
【図７】図１のＭＦＰによるＨＤＤへの蓄積画像データに基づく印刷処理時に１色のトナーが作像ユニットに無い場合の色の代替処理をＣＤＩＣで行う場合の印刷処理の説明図。
【符号の説明】
１  ＭＦＰ
２  読取ユニット
３  ＳＢＵ（センサボードユニット）
４  ＣＤＩＣ（圧縮／伸長及びデータインターフェース制御部）
５  ＩＰＰ（画像処理プロセッサ）
６  ＶＤＣ（ビデオ・データ制御部）
７  作像ユニット
８  プロセスコントローラ
９  ＲＡＭ
１０  ＲＯＭ
１１  ＦＣＵ（ファックス制御ユニット）
１２  ＩＭＡＣ（画像メモリアクセス制御部）
１３  メモリモジュール（ＭＥＭ）
１４  ＨＤＤ（ハードディスク）
１５  システムコントローラ
１６  ＲＡＭ
１７  ＲＯＭ
１８  オペレーションパネル
２０  シリアルバス
２１  パラレルバス
３０  ＰＣ（パーソナルコンピュータ）
３１  公衆回線（ＰＮ）
４１  感光体
４２  帯電チャージャ
４３  黒書込部
４４  黒現像部
４５  赤書込部
４６  赤現像部
４７  転写チャージャ
４８  クリーニング部
４９  給紙トレイ
５０  給紙コロ
５１  レジストローラ
５２  搬送ベルト
５３  定着部
５４  排紙ローラ
５５  プロッタ制御部
６０  読取装置
【図１】
2004240788.tif 000003
【図２】
2004240788.tif 000004
【図３】
2004240788.tif 000005
【図４】
2004240788.tif 000006
【図５】
2004240788.tif 000007
【図６】
2004240788.tif 000008
【図７】
2004240788.tif 000009